(57)【特許請求の範囲】
【請求項１】
ヘルメット本体に内装体を装着するヘルメットの内装体掛け具において、
前記ヘルメット本体の縁部付近内面に形成されたブラケット部と、前記ブラケット部に差し込み可能な複数の差し込み片とを備えており、
複数の前記差し込み片が、一対の爪部が突設された弾性係止爪部材をそれぞれ有しており、
複数の前記差し込み片が、特定の前記ブラケット部に同時に係止可能であり、
前記ブラケット部が、前記差し込み片が前記ブラケット部の所定位置まで差し込まれた状態において、前記爪部と係合して前記差し込み片の抜け止めを行う一対の係合部を有しており、
前記爪部と前記係合部との係合が、一対の前記爪部が相互に近づく方向に前記弾性係止爪部材を撓ませることにより外れることを特徴とするヘルメットの内装体掛け具。
【請求項２】
前記弾性係止爪部材が、一対のつまみ部を備えており、
前記弾性係止爪部材が、一対の前記つまみ部を相互に近づけることにより一対の前記爪部が相互に近づく方向に撓むことを特徴とする請求項１に記載のヘルメットの内装体掛け具。
【請求項３】
複数の前記差し込み片が、前記弾性係止爪部材に一対のつまみ部が設けられている第１の差し込み片と、前記爪部と前記係合部とが係合した状態において一対の前記つまみ部の間に前記弾性係止爪部材が配設される第２の差し込み片であり、
前記第２の差し込み片の前記弾性係止爪部材が、前記第１の差し込み片の一対の前記つまみ部を相互に近づけることにより、一対の前記爪部が相互に近づく方向に撓むことを特徴とする請求項１に記載のヘルメットの内装体掛け具。
【請求項４】
一対の前記つまみ部が相互に近づけられることにより、前記第２の差し込み片に対して前記ブラケット部から引き抜かれる方向の力が加えられることを特徴とする請求項３に記載のヘルメットの内装体掛け具。
【請求項５】
前記第１の差し込み片が、ハンモック装着用差し込み片であり、
前記第２の差し込み片が、耳紐装着用差し込み片であることを特徴とする請求項３又は４に記載のヘルメットの内装体掛け具。
【請求項６】
前記ブラケット部が、互いに距離を隔てて、かつ互いに向かい合う側に差し込み溝を設けて前記ヘルメット本体の前記縁部側から奥側に向けて形成された一対の差し込み溝を備えており、
前記第１の差し込み片が、前記差し込み溝に差し込み可能な差し込み部を備えており、
前記係合部が、前記ヘルメット本体の前記縁部付近内面に形成された突起部であることを特徴とする請求項３から５のいずれかに記載のヘルメット内装体掛け具。
【請求項７】
前記弾性係止爪部材が、前記差し込み片が前記ブラケット部の前記所定位置まで差し込まれた状態において、前記ブラケット部から引き抜かれる方向の力が該差し込み片に加えられることにより、前記爪部の間隔が開く方向に撓むものであることを特徴とする請求項１から６のいずれかに記載のヘルメットの内装体掛け具。
【発明の詳細な説明】
【技術分野】
【０００１】
本発明は、ヘルメット本体に取り付けられるハンモックや顎紐等の内装体の着脱を、ユーザーにわかり易い操作により、安全且つ小さな力で簡単に行うことができるヘルメットの内装体掛け具に関するものである。
【背景技術】
【０００２】
ヘルメット本体（帽体）に取り付けられるハンモックや顎紐等の内装体は、洗浄するときなどに、ヘルメット本体から取り外す必要がある。これら内装体をヘルメット本体から取り外すためには、ヘルメット本体と内装体掛け具との係合（嵌合）構造に応じた操作（方法）が必要になる。例えば、ヘルメット本体と内装体掛け具との係合を外すために強い力を必要とする係合構造を採用している場合、ユーザー（作業者）は、内装体を取り外す操作において、内装体に強い力を加えることが必要となる。この場合、係合を外す際に内装体に対して相当程度の強い力が加えられることとなるが、係合が外れることでその加えられる力に対抗する力がなくなる。このため、係合が外れて内装体が本体から外された拍子に、ユーザーが勢い余ってヘルメットを構成する構造物の角（エッジ）に手をぶつけてしまい、怪我をするという危険があった。
【０００３】
さらに、ヘルメット本体と内装体掛け具との係合箇所が、ヘルメット本体内側の奥まったところや内装体の影となるところのように、ユーザーにとって見えにくい場所に位置している場合、ユーザーは係合箇所を目視により確認することができない。このような場合、ヘルメット本体に内装体を着脱する方法はユーザーに分かりにくい。このため、ユーザーにとって見えにくい場所を係合箇所とすることは、誤った方法で内装体を外したことによる破損を恐れて、ユーザーが内装体を外すことをためらう一因になるという問題があった。
【０００４】
前記の問題の解消を目的とした従来の内装体掛け具としては、ヘルメット本体の縁部付近内面に形成された一対のブラケット部と、ブラケット部の差し込み溝に差し込み可能な差し込み片と、差し込み片に形成された弾性係止爪部材に設けられた爪部を落ち込ませて差し込み片の抜け止めを行う係合孔とを備えたヘルメットの内装体掛け具がある（例えば、特許文献１参照）。この内装体掛け具によれば、ヘルメット本体への内装体の取り付け・取り外し（着脱）操作を小さな力を用いて簡単に行うことができる。
【先行技術文献】
【特許文献】
【０００５】
【特許文献１】特開２００９−６８１５１号公報（図４）
【発明の概要】
【発明が解決しようとする課題】
【０００６】
しかしながら、ヘルメットが複数の内装体（付属品）を備えている場合、複数の内装体それぞれを着脱するための作業が必要となる。例えば、着用者の頭部を衝撃から守るハンモック及び着脱可能な耳紐（顎紐）を備えたヘルメットでは、ユーザーは、ハンモック及び耳紐についてそれぞれ作業を行う必要があるから、これら内装体の着脱に手間がかかるという問題があった。特に、内装体の種類毎に異なる係合構造が用いられている場合、ユーザーはそれぞれの係合構造に対応した方法を知っておく必要があるから、内装体の着脱作業が煩雑であった。また、同じ係合構造が用いられていても、ヘルメット本体の異なる場所に内装体が取り付けられている場合、異なる位置でそれぞれを取り外す作業が必要となるから、煩雑である。
【０００７】
本発明は、前記の問題に鑑みてなされたものであり、複数の内装体を備えているヘルメットであっても、それら内装体の着脱方法が分かりやすく、ユーザーが簡単に内装体を着脱することができるヘルメットの内装体掛け具を提供することを目的とする。
【課題を解決するための手段】
【０００８】
本発明のヘルメットの内装体掛け具は、前記の課題を解決するための手段として、以下の構成を採用している。
請求項１記載の発明は、ヘルメット本体に内装体を装着するヘルメットの内装体掛け具において、前記ヘルメット本体の縁部付近内面に形成されたブラケット部と、前記ブラケット部に差し込み可能な複数の差し込み片とを備えており、複数の前記差し込み片が、一対の爪部が突設された弾性係止爪部材をそれぞれ有しており、複数の前記差し込み片が、特定の前記ブラケット部に同時に係止可能であり、前記ブラケット部が、前記差し込み片が前記ブラケット部の所定位置まで差し込まれた状態において、前記爪部と係合して前記差し込み片の抜け止めを行う一対の係合部を有しており、前記爪部と前記係合部との係合が、一対の前記爪部が相互に近づく方向に前記弾性係止爪部材を撓ませることにより外れる構成。
請求項２記載の発明は、請求項１に記載されたヘルメットの内装体掛け具において、前記弾性係止爪部材が、一対のつまみ部を備えており、前記弾性係止爪部材が、一対の前記つまみ部を相互に近づけることにより一対の前記爪部が相互に近づく方向に撓む構成。
請求項３記載の発明は、請求項１に記載されたヘルメットの内装体掛け具において、複数の前記差し込み片が、前記弾性係止爪部材に一対のつまみ部が設けられている第１の差し込み片と、前記爪部と前記係合部とが係合した状態において一対の前記つまみ部の間に前記弾性係止爪部材が配設される第２の差し込み片であり、前記第２の差し込み片の前記弾性係止爪部材が、前記第１の差し込み片の一対の前記つまみ部を相互に近づけることにより、一対の前記爪部が相互に近づく方向に撓む構成。
請求項４記載の発明は、請求項１に記載されたヘルメットの内装体掛け具において、一対の前記つまみ部が相互に近づけられることにより、前記第２の差し込み片に対して前記ブラケット部から引き抜かれる方向の力が加えられる構成。
請求項５記載の発明は、請求項３又は４に記載されたヘルメットの内装体掛け具において、前記第１の差し込み片が、ハンモック装着用差し込み片であり、前記第２の差し込み片が、耳紐装着用差し込み片である構成。
請求項６記載の発明は、請求項３から５のいずれかに記載されたヘルメットの内装体掛け具において、前記ブラケット部が、互いに距離を隔てて、かつ互いに向かい合う側に差し込み溝を設けて前記ヘルメット本体の前記縁部側から奥側に向けて形成された一対の差し込み溝を備えており、一対の前記第１の差し込み片が、前記差し込み溝に差し込み可能な差し込み部を備えており、前記係合部が、前記ヘルメット本体の前記縁部付近内面に形成された突起部である構成。
請求項７記載の発明は、請求項１から６のいずれかに記載されたヘルメットの内装体掛け具において、前記弾性係止爪部材が、前記差し込み片が前記ブラケット部の前記所定位置まで差し込まれた状態において、前記ブラケット部から引き抜かれる方向の力が該差し込み片に加えられることにより、前記爪部の間隔が開く方向に撓むものである構成。
【発明の効果】
【０００９】
本発明のヘルメットの内装体掛け具は、前記の構成を備えていることにより、以下の効果を奏する。
請求項１記載の発明によれば、差し込み片をブラケット部の所定位置まで差し込むことにより一対の爪部と係合部とを係合させて、該差し込み片に取り付けられた内装体をヘルメットに取り付け、一対の爪部が相互に近づく方向に前記弾性係止爪部材を撓ませることにより一対の爪部と係合部との係合を外して、該差し込み片に取り付けられた内装体をヘルメットから取り外すことができる。また、本発明は、複数の差し込み片を備えているから、複数の差し込み片に異なる内装体を取り付けることにより、複数の内装体をヘルメット本体の縁部付近に形成されたブラケット部において着脱することができる。したがって、本発明のヘルメットの内装体掛け具を用いることにより、ヘルメットから複数の内装体を着脱する場合であっても、同一箇所においてかつ同一の方法により着脱作業を行うことができるから、ユーザーは効率良く内装体の着脱作業を行うことができる。
請求項２記載の発明によれば、ユーザーは、一対のつまみ部を操作することにより、爪部と係合部との係合を外すことができるから、差し込み片に取り付けられた内装体をヘルメット本体に着脱するための方法をより容易に理解することができる。
請求項３記載の発明によれば、ユーザーは、第１の差し込み片のつまみ部を操作することにより、第１の差し込み片及び第２の差し込み片について、爪部と係合部との係合を外すことができる。このため、つまみ部を設ける空間が限られている場合であっても、つまみ部の大きさをユーザーにとって良好な操作性を維持するために十分な大きさとすることができる。すなわち、第１及び第２の差し込み片において共通のリリースボタン（爪部と係合部との係合を外して内装体を取り外すボタン）として、第１の差し込み片のつまみ部を用いることにより、ユーザーは、迷うことなく複数の内装体をヘルメットから取り外す操作を行うことができ、また、つまみ部の大きさを十分なものとすることができる。
請求項４記載の発明によれば、ユーザーがつまみ部を操作することにより、第２の差し込み片の爪部と係合部との係合を外すと共に、第２の差し込み片をブラケット部から引き抜く方向の力が第２の差し込み片に対して加えられる。このため、ユーザーがつまみ部を操作することによって、第２の差し込み片の抜け止めが外されると同時に第２の差し込み片をブラケット部から引き抜くことができるから、ユーザーは第２の差し込み片をブラケット部から取り外す作業を効率よく行うことができる。
請求項５記載の発明によれば、ハンモック装着用差し込み片のつまみ部を操作することにより、ハンモック装着用差し込み片のみならず耳紐装着用差し込み片についても爪部と係合部との係合を外すことができる。
請求項６記載の発明によれば、ヘルメット内装体掛け具の作製に要するコストを低減させることができる。係合部として用いられる他の構成としては、例えば、爪部を落ち込ませて差し込み片の抜け止めを行う係合孔が挙げられる。しかし、係合孔には、これを作製するために複雑な構造の金型が必要であり、作製された製品にいわゆるバリが生じやすく、バリが係合の不具合の原因となることがあるという問題がある。これに対して、係合部を突起部として構成することにより、係合孔と比べて簡単な構造の金型を用いて作製することができ、かつ、製品にバリが生じることを防止できるから、製造コストを低減させることができる。
請求項７記載の発明によれば、差し込み片を抜く方向の力が差し込み片に加えられたときに、一対の爪部の間隔が開いて係合部に食い込むから、差し込み片とブラケット部との係合をより強固なものとすることができる。これにより、差し込み片を抜く方向すなわち差し込み片が外れる方向の力が加わったときに、爪部が滑って差し込み片がブラケットから外れてしまうことを防止することができる。
【図面の簡単な説明】
【００１０】
【図１】本発明の実施形態であるヘルメットの内装体掛け具を備えたヘルメットの内面構造を示す平面図
【図２】図１のヘルメットに設けられた内装体掛け具の使用状態を示す要部斜視図
【図３】内装体掛け具を構成する第１の差し込み片及び第２の差し込み片が、ブラケット部から取り外された状態を示す斜視図
【図４】掛け止めブラケットの所定位置における第１の差し込み片と第２の差し込み片との位置関係を説明するための要部側面図
【図５】掛け止めブラケットに第１の差し込み片と第２の差し込み片とが取り付けられた状態を説明するため、図３とは反対側から内装体掛け具を見た状態を示す斜視図
【図６】第１の差し込み片のつまみ部と第２の差し込み片の弾性係止爪部材との関係を説明する要部斜視図
【図７】爪部の形状を説明する要部正面図
【発明を実施するための形態】
【００１１】
以下、図１〜７に基づいて、本発明のヘルメットの内装体掛け具の一実施形態について説明する。
【００１２】
図１は、本発明の実施形態であるヘルメットの内装体掛け具を備えたヘルメットの内面構造を示す平面図である。同図に示すように、ヘルメット１は、ヘルメット本体２とハンモック（内装体）３と顎紐（内装体）４とを備えている。そして、ハンモック３及び顎紐４はいずれも、ヘルメット本体２の内側周縁部（縁部）２ａ付近に設けられた４つの内装体掛け具５によって、ヘルメット本体２に取り付けられている。
【００１３】
図２は、ヘルメット１に設けられた内装体掛け具の使用状態を示す要部斜視図である。同図に示すように、内装体掛け具５は、ヘルメット本体２の内側周縁部２ａ付近の内面にヘルメット本体２と一体に形成された固定側の掛け止めブラケット（ブラケット部）６と、取り外し側の第１の差し込み片７及び第２の差し込み片８（以下、適宜、両者をまとめて「差し込み片」という。）とから構成されている。
【００１４】
差し込み片は、掛け止めブラケット６に安定して着脱可能に取り付けられるものであって、掛け止めブラケット６内部の所定位置に差し込まれることにより抜け止めされる。このため、ヘルメット１のユーザーは、差し込み片に取り付けられた内装体のヘルメット本体２への着脱を、差し込み片の取り付け・取り外しによって行うことができる。
【００１５】
図３は、第１の差し込み片７及び第２の差し込み片８が、ブラケット部６から取り外された状態を示す斜視図である。同図に示すように、掛け止めブラケット６は、一対の差し込み溝９及び一対の突起部１０を備えている。
【００１６】
差し込み溝９は、ヘルメット本体２の内面にヘルメット本体２の垂直方向（縁部側から奥側に向かう方向）に延びる一対の溝として形成されている。そして、その一端側においてヘルメット本体２の開口側（縁部側）に向かって開放され、他端側（奥側）においてストッパー部１１により一部が閉じられている。なお、本実施の形態においては、係合部として掛け止めブラケット６に突起部１０を設けているが、その代わりに、差し込み溝９に係合孔を設けて、係合孔において差し込み片と係合する構成を採用することもできる。しかし、簡単な構造の金型を用いて作製することができ、製品にバリが生じにくいことから、係合孔よりも突起部１０により係合部を構成するほうが好ましい。
【００１７】
突起部１０は、ヘルメット本体２の内面に、ヘルメット本体２の開口側から見たときに差し込み溝９の間となる位置に、ヘルメット本体２と一体として形成されている。そして、突起部１０には、ヘルメット本体２の奥側に係止爪面１２が形成されている。一対の突起部１０の係止爪面１２は、後述する係止爪面１５ａおよび係止爪面２２ａに対応した形状として、すなわち、ヘルメット本体２（図１〜３参照）の内側から見たときに、内側周縁部２ａ側が広いハの字状に形成されている。なお、本実施の形態の一対の突起部１０は、ヘルメット本体２内面から突出した２つの部分として構成されているが、突起部１０を一体のものとして構成してもよい。この場合は、一体として形成された突起部において、係合する２つの部分が一対の突起部となる。
【００１８】
第１の差し込み片７は、取り付け孔１３、弾性係止爪部材１４、一対の爪部１５、一対のつまみ部１６、一対の差し込み部１７及び保持部１８を備えている。弾性係止爪部材１４及び爪部１５は、保持部１８に覆われているため、図３においては破線を用いて示している。取り付け孔１３は、ハンモック３（図１参照）が取り付けられるものである。
【００１９】
爪部１５は、弾性係止爪部材１４の外側面に突設させて弾性係止爪部材１４と一体に形成されており、下側（ヘルメット本体２の奥側）から上側（ヘルメット本体２の開口側）に進むに従って、徐々に外側に突出する形状であり、その上端に係止爪面１５ａが設けられている。係止爪面１５ａは、第１の差し込み片７が掛け止めブラケット６の所定位置まで差し込まれた状態において、突起部１０の係止爪面１２と当接するものである。この係止爪面１５ａと係止爪面１２との当接（係合）により、掛け止めブラケット６から第１の差し込み片７が抜けることを防止すること（抜け止め）ができる。また、爪部１５は、第１の差し込み片７が掛け止めブラケット６の所定位置に差し込まれることにより、弾性係止爪部材１４の撓み復元力によって、突起部１０と自動的に係合（嵌合）して掛け止めされる。この係合は、弾性係止爪部材１４を撓ませて、一対の爪部１５を一対の突起部１０の内側に逃さない限り外れることがない。
【００２０】
つまみ部１６は、弾性係止爪部材１４の上端側（ヘルメット本体２の開口側）に弾性係止爪部材１４と一体に形成されている。一対のつまみ部１６を相互に近づけることにより、一対の爪部１５が相互に近づく方向に弾性係止爪部材１４を撓ませることができる。この操作により、爪部１５の先端部間の距離を突起部１０内側の距離（間隔）よりも小さくすることにより、爪部１５（係止爪面１５ａ）と突起部１０（係止爪面１２）との係合を外して、第１の差し込み片７を掛け止めブラケット６から取り外すことができる。したがって、弾性係止爪部材１４に設けられた一対のつまみ部１６を操作することによって、ハンモック３を簡単に取り外すことができる。
【００２１】
差し込み部１７は、掛け止めブラケット６の差し込み溝９に差し込み可能な形状である。そして、差し込み溝９のストッパー部１１と当接する位置まで差し込まれることによって、第１の差し込み片７が掛け止めブラケット６の所定位置（爪部１５と突起部１０とが係合して第１の差し込み片７が抜け止めされる位置）に差し込まれた状態となる。なお、差し込み部１７は、第１の差し込み片７を抜け止めするものではないから、爪部１５と突起部１０との係合を外した状態で第１の差し込み片７を引き抜くことにより、第１の差し込み片７を掛け止めブラケット６から取り外すことができる。
【００２２】
保持部１８は、第２の差し込み片８が掛け止めブラケット６の所定位置に差し込まれた状態において、第２の差し込み片８がヘルメット本体２の内側にずれることがないように、第２の差し込み片８を保持するものである。また、保持部１８の上端側に設けられた凹部１９と第２の差し込み片８の突起部２３とが係合する位置で、第２の差し込み片８が掛け止めブラケット６の所定位置に位置することとなる。
【００２３】
第２の差し込み片８は、取り付け孔２０、弾性係止爪部材２１、一対の爪部２２、突起部２３を備えている。取り付け孔２０は、顎紐４（図１参照）が取り付けられるものである。弾性係止爪部材２１には、一対の爪部２２及び突起部２３が形成されている。
【００２４】
爪部２２は、弾性係止爪部材２１の外側面に突設させて弾性係止爪部材２１と一体に形成されており、下側から上側に進むに従って徐々に外側に突出する形状であり、その上端に係止爪面２２ａが設けられている。係止爪面２２ａは、第２の差し込み片８が掛け止めブラケット６の所定位置まで差し込まれた状態において、突起部１０の係止爪面１２と当接するものである。この係止爪面２２ａと係止爪面１２との係合により、第２の差し込み片８の掛け止めブラケット６からの抜けを防止することができる。また、爪部２２は、第２の差し込み片８が掛け止めブラケット６の所定位置に差し込まれることにより、弾性係止爪部材２１の撓み復元力によって、突起部１０と自動的に係合（嵌合）し、この係合により第２の差し込み片８が掛け止めブラケット６に掛け止めされる。この掛け止めは、弾性係止爪部材２１を撓ませて、一対の爪部２２を一対の突起部１０の内側に逃さない限り外れることがない。
【００２５】
弾性係止爪部材２１は、第２の差し込み片８が掛け止めブラケット６の所定位置まで差し込まれた状態において、その両端（中心から見た場合に、爪部２２が設けられている部位よりも外側となる両端）の当接面２１ａが、第１の差し込み片７の一対のつまみ部１６の間に位置する。この構成により、第１の差し込み片７及び第２の差し込み片８が掛け止めブラケット６の所定位置に配設されている状態において、一対のつまみ部１６を相互に近づける操作により、弾性係止爪部材２１の両端を近づけることができる。このため、つまみ部１６を相互に近づけることによって、第２の差し込み片８の一対の爪部２２が相互に近づく方向に弾性係止爪部材２１を撓ませて、爪部２２と突起部１０との係合を外すことができる。
したがって、ユーザーは、つまみ部１６を第１の差し込み片７と第２の差し込み片８とに共通のリリースボタンとして用いることができるから、つまみ部１６の操作性が非常に良好となる。すなわち、内装体掛け具５は、複数の差し込み片が共通の係合構造を採用しているから、複数の差し込み片に複数の内装体が取り付けられた場合に、ユーザーは、共通の操作方法を用いて複数の異なる内装体の着脱を行うことができる。したがって、ユーザーは、複数の内装体をヘルメット本体に着脱する作業において、内装体に応じて異なる操作方法を用いる必要がないから、着脱のための作業を簡易かつ効率よく行うことができる
【００２６】
第１の差し込み片７と第２の差し込み片８のそれぞれについて、ユーザーが指で押しやすい大きさのリリースボタンを設けると、そのぶん掛け止めブラケット６が大きくなってしまうという問題がある。この問題を避けるために各リリースボタンを小さくすると、内装体掛け具５（図１参照）の簡易着脱性が損なわれてしまうという問題が生じる。そこで、これらの問題を解消するために、内装体掛け具５は、上述したように第１の差し込み片７のつまみ部１６の間に第２の差し込み片８の当接面２１ａを配設する構成を採用することにより、複数の差し込み片のリリースボタンを重ねている。
この構成により、つまみ部１６に対する操作により、複数の差し込み片を掛け止めブラケット６から取り外すことが可能となる。また、つまみ部１６を複数の差し込み片に共通のリリースボタンとして用いているから、つまみ部１６を操作性が損なわれない大きさに維持することができ、これによりその操作性を良好なものとすることができる。
【００２７】
突起部２３は、第１の差し込み片７のストッパー部１９と係合することにより、第２の差し込み片８を掛け止めブラケット６の所定位置に位置させるものである。また、当該所定位置においては、第２の差し込み片８下端の凹部２４も第１の差し込み片７の弾性係止爪部材１４と保持部１８とを繋ぐ連接部２５と係合する。これらの係合によって、第２の差し込み片８は、垂直方向（ヘルメット本体２の縁部側から奥側に向かう方向）における所定位置に固定される。また、第２の差し込み片８の爪部２２が、第１の差し込み片７の弾性係止爪部材１４と保持部１８とに挟まれていることによって、水平方向（ヘルメット本体２内面の垂線方向）における所定位置に固定される。
【００２８】
図４は、掛け止めブラケット６の所定位置における、第１の差し込み片７と第２の差し込み片８との位置関係を説明する要部側面図である。同図に示したように、第１の差し込み片７の差し込み部１７の奥に位置している第２の差し込み片８の弾性係止爪部材２１が、第１の差し込み片７の弾性係止爪部材１４と保持部１８との間に挟まれている。そして、第２の差し込み片８の弾性係止爪部材２１の当接面２１ａが、第１の差し込み片７の一対のつまみ部１６の内側に位置している。また、第１の差し込み片７の爪部１５の係止爪面１５ａと第２の差し込み片８の爪部２２の係止爪面２２ａとが近接して位置しているから、爪部１５及び爪部２２を掛け止めブラケット６の突起部１０（図３参照）に係合させることができる。
【００２９】
図５は、掛け止めブラケット６に第１の差し込み片７と第２の差し込み片８とが取り付けられた状態を説明するため、図３とは反対の方向から内装体掛け具５（図１、図２参照）を見た状態を示す斜視図である。同図に示したように、第１の差し込み片７及び第２の差し込み片８はそれぞれ、爪部１５及び爪部２２が突起部１０と係合することにより、掛け止めブラケット６の所定位置に固定される。
【００３０】
図６は、第１の差し込み片７のつまみ部１６と第２の差し込み片８の弾性係止爪部材２１との関係を説明する要部斜視図である。同図に示すように、つまみ部１６の当接面１６ａと弾性係止爪部材２１の当接面２１ａとはいずれも、ヘルメット本体２（図１〜３参照）の内側から見たときに、ヘルメット本体２の内側周縁部２ａ側に向かって広がる形状に形成されている。つまり、一対のつまみ部１６の当接面１６a及び一対の弾性係止爪部材２１の当接面２１ａはいずれも、ヘルメット本体２（図１〜３参照）の内側から見たときに、ヘルメット本体２の内側周縁部２ａ側に向かって広くなるハの字状に、すなわち一対の面の間隔（一対の当接面１６a同士の間隔、一対の当接面２１ａ同士の間隔）がヘルメット本体２の内側周縁部２ａ側に向かって徐々に広くなるように傾斜して形成されている。
このため、一対のつまみ部１６が相互に近づく方向（図中の矢印Ａの方向）の力が第１の差し込み片７のつまみ部１６に加えられると、第２の差し込み片８の弾性係止爪部材２１には、爪部２２（図３参照）が相互に近づく方向の力が加えられると共に、掛け止めブラケット６から引き抜かれる方向（図中の矢印Ｂの方向）の力も加えられることとなる。
この構成により、つまみ部１６を操作することによって、爪部２２と突起部１０との係合を外すと同時に、第２の差し込み片８を掛け止めブラケット６から引き抜くことができる。したがって、ユーザーは、つまみ部１６の操作によって、ワンタッチで第２の差し込み片８を掛け止めブラケット６から取り外すことができるから、第２の差し込み片８に取り付けられている顎紐４の取り外しの操作性が良好なものとなる。
【００３１】
図７は、第１の差し込み片７の爪部１５の形状を説明するための要部正面図である。同図に示すように、第１の差し込み片７は、一対の爪部１５が、やじり状すなわち、第１の差し込み片７が掛け止めブラケット６の所定位置にある状態において、ヘルメット本体２（図１〜３参照）の内側から見たときに、爪部１５の先端が基端よりもヘルメット本体２の内側周縁部２ａ側に位置するように形成されている。爪部１５の係止爪面１５ａに着目すると、第１の差し込み片７が掛け止めブラケット６の所定位置にある状態においてヘルメット本体２の内側から見たときに、一対の爪部１５の係止爪面１５ａが内側周縁部２ａ側のほうが広いハの字状となっている。また、図７にＡで示した係止爪面１５ａと弾性係止爪部材１４とが形成する角が鋭角となっている。これにより、掛け止めブラケット６の所定位置に第１の差し込み片７が差し込まれている状態において、第１の差し込み片７に掛け止めブラケット６から引き抜く方向の力が加えられた場合、弾性係止爪部材１４が一対の爪部１５の間隔が開く方向（係合を外す方向とは逆方向）に撓む。すなわち、掛け止めブラケット６から引き抜く方向の力が第１の差し込み片７に加えられた場合、爪部１５と弾性係止爪部材１４との間に突起部１０が食い込むこととなるから、突起部１０と爪部１５との係合をより強固なものとすることができる。
このため、引き抜く方向の力が第１の差し込み片７に加えられたことにより係止爪面１２と係止爪面１５ａとの間に滑りが生じて、第１の差し込み片７が掛け止めブラケット６から抜けてしまうという問題が生じることを防止できる。したがって、ユーザーが所望しないときに、ハンモック３がヘルメット本体２から外れることをより確実に防止することができる。
【００３２】
また、第２の差し込み片８の爪部２２をやじり状とすれば、爪部１５についての前記説明と同様の作用によって、ユーザーが所望しないときに、顎紐４がヘルメット本体２から外れることをより確実に防止することができる。
【産業上の利用可能性】
【００３３】
本発明は、ハンモックや顎紐等の内装体をヘルメット本体に着脱する用途に用いることができる。
【符号の説明】
【００３４】
１  ヘルメット
２  ヘルメット本体
２ａ  内側周縁部（縁部）
３  ハンモック
４  顎紐
５  内装体掛け具
６  掛け止めブラケット（ブラケット部）
７  第１の差し込み片（ハンモック装着用差し込み片）
８  第２の差し込み片（耳紐装着用差し込み片）
９  差し込み溝
１０  突起部（係合部）
１４  弾性係止爪部材
１５  爪部
１６  つまみ部
１７  差し込み部
１８  保持部
２１  弾性係止爪部材
２２  爪部
【図１】
0005462582.tif 000002
【図２】
0005462582.tif 000003
【図３】
0005462582.tif 000004
【図４】
0005462582.tif 000005
【図５】
0005462582.tif 000006
【図６】
0005462582.tif 000007
【図７】
0005462582.tif 000008